(57)【要約】【課題】無線タグからの情報読み取りを的確に行えるようにすることで、その情報の有効活用を確実なものとすることができ、しかも画像読み取りの生産性低下の抑制を実現可能とする。【解決手段】読み取り対象となる原稿から当該原稿上に描かれている画像を光学的に読み取る画像読取手段１１と、前記原稿に埋め込まれている無線タグと非接触で通信するために前記画像読取手段１１が画像読み取りを行う際の主走査方向に沿って複数個並べて配された送受信手段１５と、前記画像読取手段１１が画像読み取りを行う際の副走査方向に沿って前記送受信手段１５と前記原稿との相対位置を移動させる位置移動手段１１ｂとを備えて、画像読取装置を構成する。【選択図】図３
2007124076.tif 000002
【特許請求の範囲】
【請求項１】
読み取り対象となる原稿から当該原稿上に描かれている画像を光学的に読み取る画像読取手段と、
前記原稿に埋め込まれている無線タグと非接触で通信するために前記画像読取手段が画像読み取りを行う際の主走査方向に沿って複数個並べて配された送受信手段と、
前記画像読取手段が画像読み取りを行う際の副走査方向に沿って前記送受信手段と前記原稿との相対位置を移動させる位置移動手段と
を備えることを特徴とする画像読取装置。
【請求項２】
前記送受信手段は、前記複数個のそれぞれの感度領域を積算すると、前記画像読取手段による前記主走査方向の読み取り領域の全域をカバーするように、当該感度領域が設定されている
ことを特徴とする請求項１記載の画像読取装置。
【請求項３】
前記送受信手段は、前記複数個のそれぞれが時分割動作する
ことを特徴とする請求項１または２記載の画像読取装置。
【請求項４】
前記画像読取手段は、前記原稿からの画像読み取りにあたり、前記副走査方向に沿って移動するキャリッジを用いて、当該原稿に対する走査を行うものであり、
前記送受信手段は、前記キャリッジに搭載されており、
前記位置移動手段は、前記キャリッジの移動により前記送受信手段と前記原稿との相対位置を移動させる
ことを特徴とする請求項１、２または３記載の画像読取装置。
【請求項５】
前記画像読取手段は、前記原稿からの画像読み取りにあたり、前記副走査方向に沿って移動するキャリッジを用いて、当該原稿に対する走査を行うものであり、
前記送受信手段は、前記キャリッジとは別に前記副走査方向に沿って移動する担部に搭載されており、
前記位置移動手段は、前記担部の移動により前記送受信手段と前記原稿との相対位置を移動させる
ことを特徴とする請求項１、２または３記載の画像読取装置。
【請求項６】
前記画像読取手段が読み取り対象とする原稿の搬送を行う原稿搬送手段を備えるとともに、
前記位置移動手段は、前記原稿搬送手段が行う原稿搬送により前記送受信手段と当該原稿との相対位置を移動させる
ことを特徴とする請求項１、２または３記載の画像読取装置。
【請求項７】
前記画像読取手段での画像読み取り範囲を特定する原稿読み取りサイズを設定するためのサイズ設定手段と、
前記画像読取手段が読み取り対象とする原稿のサイズを認識するサイズ認識手段とを備え、
前記位置移動手段は、前記サイズ設定手段での設定結果と前記サイズ認識手段での認識結果が一致しない場合に、前記サイズ認識手段での認識結果を基にして前記送受信手段と前記原稿との相対移動領域を決定する
ことを特徴とする請求項１〜６のいずれか１項に記載の画像読取装置。
【請求項８】
前記送受信手段の前記複数個それぞれの配置位置と前記位置移動手段による相対位置移動量とに基づいて、前記無線タグの前記原稿上での埋め込み位置を認識する位置認識手段を備える
ことを特徴とする請求項１〜７のいずれか１項に記載の画像読取装置。
【請求項９】
前記送受信手段が前記無線タグとの通信を行う際の当該送受信手段における感度領域の大きさを、当該無線タグが埋め込まれた原稿のセット位置に応じて可変する感度調整手段を備える
ことを特徴とする請求項１〜８のいずれか１項に記載の画像読取装置。
【請求項１０】
読み取り対象となる原稿から当該原稿上に描かれている画像を光学的に読み取る画像読取手段と、
前記原稿に埋め込まれている無線タグと非接触で通信するための送受信手段と、
前記画像読取手段が画像読み取りを行う際の主走査方向に前記送受信手段を移動させる主走査位置移動手段と、
前記画像読取手段が画像読み取りを行う際の副走査方向に沿って前記送受信手段と前記原稿との相対位置を移動させる副走査位置移動手段と
を備えることを特徴とする画像読取装置。
【発明の詳細な説明】
【技術分野】
【０００１】
本発明は、原稿からの画像読み取りを行う画像読取装置に関し、特に無線タグが埋め込まれた原稿からの画像読み取りに対応した画像読取装置に関する。
【背景技術】
【０００２】
近年、個人認証情報や物品管理情報等を非接触で読み書きすることのできる無線タグが様々な形態で利用されつつある。無線タグとしては、例えばＲＦＩＤ（Radio Frequency Identification）タグが広く知られている。ＲＦＩＤタグは、情報記録が可能な無線ＩＣチップで、電波を使って専用のリーダとの間で情報を送受信する機能を持ち、その埋め込みによって被埋め込み物の識別等に利用されるものである。形状は、ラベル型、カード型、コイン型、スティック型等といった様々なものがあり、また通信距離も数mm程度のものから数ｍのものがあり、その用途に応じて使い分けられる。さらには、アンテナ側からの非接触電力伝送技術により、電池を持たない半永久的に利用可能なものも登場している。
【０００３】
このようなＲＦＩＤタグに代表される無線タグは、複写機やスキャナ装置等の画像読取装置の分野においても利用することが提案されている。すなわち、画像読取装置の中には、無線タグが埋め込まれた原稿からの画像読み取りに対応したものがある。具体的には、例えば、原稿からの画像読み取りを行う画像読取装置において、その原稿を走査するためのキャリッジに無線タグと非接触で通信するための送受信装置を搭載し、その送受信装置を用いて原稿に埋め込まれた無線タグから記録情報を読み取り、読み取った情報が複写禁止情報であれば原稿からの画像読み取りを禁止するものがある（例えば、特許文献１参照）。
【０００４】
【特許文献１】特開２００２−１９０９１１号公報
【発明の開示】
【発明が解決しようとする課題】
【０００５】
ところで、一般に、無線タグと非接触での通信を行う送受信装置は、一定の指向性と感度距離を持っている。その一方で、原稿に埋め込まれる無線タグは、その埋め込み位置や埋め込み個数が、必ずしも一意に特定されるものではない。
したがって、上述した従来技術のように、単に原稿を走査するキャリッジに無線タグとの通信を行う送受信装置を搭載したのみでは、必ずしも無線タグからの記録情報の読み取りを的確に行い得るとは限らない。例えば、無線タグの埋め込み位置、原稿が画像読取装置にセットされた際の姿勢（上下逆、表裏反転等）、画像読み取りの対象となる領域の大きさ等の関係によっては、無線タグからの情報読み取りを正確に行えないおそれがある。特に、読み取り対象となる原稿に様々な用紙サイズのものが混在していたり、用紙サイズと画像読み取りの対象領域とが一致していなかったりすると、さらに上述の関係が複雑なものとなるため、そのことが顕著に発生し得る。
その一方で、余分な領域をキャリッジの走査領域とすることは、画像読み取りの生産性低下を招く要因となり得る。
【０００６】
そこで、本発明は、無線タグからの情報読み取りを的確に行えるようにすることで、その情報の有効活用を確実なものとすることができ、しかも画像読み取りの生産性低下の抑制を実現可能とする画像読取装置を提供することを目的とする。
【課題を解決するための手段】
【０００７】
本発明は、上記目的を達成するために案出された画像読取装置で、読み取り対象となる原稿から当該原稿上に描かれている画像を光学的に読み取る画像読取手段と、前記原稿に埋め込まれている無線タグと非接触で通信するために前記画像読取手段が画像読み取りを行う際の主走査方向に沿って複数個並べて配された送受信手段と、前記画像読取手段が画像読み取りを行う際の副走査方向に沿って前記送受信手段と前記原稿との相対位置を移動させる位置移動手段とを備えることを特徴とするものである。
【０００８】
上記構成の画像読取装置によれば、送受信手段が主走査方向に複数個並べられており、しかも各送受信手段と原稿との副走査方向における相対位置を位置移動手段が移動させ得るので、無線タグの位置を限定されることなく、その無線タグとの通信を行い得るようになる。その一方で、動作させる送受信手段を限定するとともに、位置移動手段による相対位置の移動範囲を限定すれば、無線タグとの通信領域を特定範囲に限定し得るようにもなる。
【発明の効果】
【０００９】
以上のように、本発明の画像読取装置では、原稿の不特定位置に埋め込まれた無線タグと確実に通信することができるので、原稿の自由な位置に無線タグを埋め込むことができるようになる。また、原稿のセット姿勢等によって無線タグが検出されたり、あるいはされなかったりといった不便も解消し得る。つまり、無線タグからの情報読み取りを的確に行うことができ、その無線タグにおける記録情報の有効活用を確実なものにできる。しかも、無線タグとの通信領域を特定範囲に限定することも可能なので、必要に応じて領域限定を行うことで、原稿からの画像読み取りの生産性が低下してしまうのを抑制することができる。
【発明を実施するための最良の形態】
【００１０】
以下、図面に基づき本発明に係る画像読取装置について説明する。
【００１１】
〔画像読取装置の基本的な概略構成〕
先ず、画像読取装置の基本的な概略構成について説明する。
【００１２】
図１は、本発明に係る画像読取装置の概略構成の一例を示す説明図である。ここで例に挙げて説明する画像読取装置１０は、スキャナ装置、複写機若しくはＦＡＸ装置、またはこれらの機能を統合した複合機として用いられるもので、図例のように、スキャナ部１１と、原稿搬送部１２と、ＵＩ（User Interface）部１３と、制御部１４と、を備えている。
【００１３】
スキャナ部１１は、読み取り対象となる原稿から当該原稿上に描かれている画像を光学的に読み取るのものである。そのために、スキャナ部１１は、原稿の載置台となるプラテンガラス１１ａと、そのプラテンガラス１１ａに沿って平行に移動するキャリッジ１１ｂとを備えており、キャリッジ１１ｂの移動を利用してプラテンガラス１１ａ上の原稿に対する走査を行うように構成されている。なお、スキャナ部１１は、キャリッジ１１ｂにランプおよびミラーを搭載してＣＣＤ（Charge Coupled Device）をイメージセンサとして用いる縮小光学系のものであっても、あるいはキャリッジ１１ｂにＣＭＯＳ（Complementary Metal Oxide Semiconductor）センサを搭載して密着イメージセンサを用いたものであってもよい。
【００１４】
このスキャナ部１１が読み取り対象とする原稿には、無線タグが埋め込まれたものを含む。無線タグとしては、例えばｎビットのデジタル情報が記録可能なＲＦＩＤタグが挙げられる。ただし、必ずしもＲＦＩＤタグに限定されることはなく、無線通信を利用した非接触での情報読み取りが可能なものであれば、他のものを用いても構わない。このような無線タグには、原稿上の画像についての画像領域情報や画像属性情報、あるいは個人認証管理情報や動作可否に関するセキュリティ情報等を、予め記録しておくことが考えられる。なお、ＲＦＩＤタグおよびその記録情報の詳細については、公知技術を用いて実現すればよいため、ここではその説明を省略する。また、スキャナ部１１は、無線タグが埋め込まれていない原稿からの画像読み取りにも対応し得ることは勿論である。
【００１５】
原稿搬送部１２は、ＡＤＦ（Automatic Document Feeder）またはＤＡＤＦ（Duplexing Automatic Document Feeder）からなるもので、スキャナ部１１が読み取り対象とする原稿の搬送を行うものである。すなわち、原稿搬送部１２では、当該原稿搬送部１２が有する給紙トレイ１２ａにセットされた原稿束から、その原稿束を構成する原稿を毎葉で繰り出して搬送し、スキャナ部１１における画像読み取り位置を通過させた後に、その原稿を当該原稿搬送部１２が有する排紙トレイ１２ｂ上へ排出するようになっている。
【００１６】
ＵＩ部１３は、画像読取装置１０のユーザが情報入力のための操作を行ったり、そのユーザに対する情報出力を行ったりするものである。このＵＩ部１３で入力される情報としては、例えば、スキャナ部１１での画像読み取りを行う際のモード設定情報や、その画像読み取り範囲を特定する情報、すなわちスキャナ部１１における原稿読み取りサイズを設定するための情報等が挙げられる。
【００１７】
制御部１４は、所定プログラムを実行するＣＰＵ（Central Processing Unit）等を有してなるもので、上述した各部１１〜１４および画像読取装置１０全体の動作制御を行うためのものである。この制御部１４が行う制御には、スキャナ部１１が画像読み取りを行う際の動作制御が含まれるものとする。
【００１８】
また、本実施形態で説明する画像読取装置１０は、上述した各部１１〜１４に加えて、原稿に埋め込まれている無線タグからの格納情報の読み取りを行うために、その無線タグと非接触での通信を行う送受信部（ただし不図示）を備えている。送受信部は、例えばＲＦＩＤタグからのデジタル情報の読み取りを非接触で行うＲＦＩＤリーダ用いて構成することが考えられる。
【００１９】
〔画像読取装置の機能構成〕
続いて、以上のように構成された画像読取装置１０における機能構成、特にここでは制御部１４によって実現される機能構成について説明する。
【００２０】
図２は、本発明に係る画像読取装置の制御部における機能構成の一例を示すブロック図である。図例のように、制御部１４は、ＣＰＵ１４ａと、このＣＰＵ１４ａが実行する所定プログラムを格納するＲＯＭ（Read Only Memory）１４ｂと、ＣＰＵ１４ａが所定プログラムを実行する際のワークエリアとして用いられるＲＡＭ（Random Access Memory）１４ｃと、を有している。
また、制御部１４は、スキャナ部１１のＣＣＤまたはＣＭＯＳからなるイメージセンサ１１ｃからの出力信号に対して、Ａ／Ｄ変換を行うコンバータ１４ｄと、所定の信号処理（例えば、下地除去処理や原稿サイズ検知処理）を行うＡＳＩＣ（Application Specified Integrated Circuit）１４ｅと、を有している。
さらに、制御部１４は、スキャナ部１１のキャリッジ１１ｂを動作させるキャリッジ駆動モータ１１ｄに対して駆動指示を与えるモータ駆動回路１４ｆと、そのキャリッジ１１ｂに搭載されたランプ１１ｅに対して駆動指示を与えるランプ駆動回路１４ｇと、これらの駆動回路１４ｆ，１４ｇの動作制御を行うＡＳＩＣ１４ｈと、を有している。
さらにまた、制御部１４は、ＲＦＩＤリーダを構成するアンテナアレイ１５を介して、ＲＦＩＤタグとの非接触での通信を行うための変調／復調器１４ｉを有している。
これらのうち、ＡＳＩＣ１４ｅ，１４ｈおよび変調／復調器１４ｉについては、所定プログラムを実行するＣＰＵ１４ａからの指示に従いつつ、それぞれが動作を行うようになっている。なお、ＡＳＩＣ１４ｅ，１４ｈおよび変調／復調器１４ｉが行う処理自体（タイミング制御を除く）については、公知であるため、ここではその説明を省略する。
【００２１】
〔画像読取装置の特徴的な構成〕
次に、本実施形態における画像読取装置１０の特徴的な構成について説明する。
【００２２】
はじめに、画像読取装置１０の特徴的な構成として、第一の構成例を説明する。
図３は、本発明に係る画像読取装置の要部構成の第一例を示す説明図である。図例のように、第一例として説明する画像読取装置１０では、スキャナ部１１におけるキャリッジ１１ｂが、原稿からの画像読み取りを行う際の主走査方向に延びているとともに、キャリッジ駆動モータ１１ｄの駆動により当該画像読み取りを行う際の副走査方向（図中の矢印方向）に沿って移動し得るようになっている。これにより、スキャナ部１１では、原稿に対する走査を行うのである。
【００２３】
そして、キャリッジ１１ｂ上には、ランプやミラー等に加え、ＲＦＩＤリーダを構成するアンテナアレイ１５が配設されている。アンテナアレイ１５は、キャリッジ１１ｂの主走査方向に沿って並べて配された複数個のアンテナ１５ａ，１５ｂ，１５ｃ…によって構成されたものである。したがって、各アンテナ１５ａ，１５ｂ，１５ｃ…は、キャリッジ１１ｂが副走査方向に沿って移動すると、これにより原稿との相対位置を移動することになる。なお、図例では、アンテナ１５ａ，１５ｂ，１５ｃ…の数が三つである場合を例に挙げているが、その数は各アンテナ１５ａ，１５ｂ，１５ｃ…の感度領域とキャリッジ１１ｂの主走査方向の大きさに応じて決定すればよく、特に限定されるものではない。
【００２４】
図４は、各アンテナの感度領域の具体例を示す説明図である。図例に示すように、主走査方向に沿って並べられた複数個のアンテナ１５ａ，１５ｂ，１５ｃ…は、これら複数個のそれぞれの感度領域を積算すると、スキャナ部１１における主走査方向の読み取り領域の全域、すなわちキャリッジ１１ｂの主走査方向における大きさの全域をカバーするように、当該感度領域が設定されているものとする（図中Ａ領域参照）。それぞれの感度領域は、主走査方向の全域をカバーできれば、一律であっても、あるいは各アンテナ１５ａ，１５ｂ，１５ｃ…の配置ピッチに応じてそれぞれが異なるものであってもよい。
【００２５】
次いで、画像読取装置１０の特徴的な構成として、第二の構成例を説明する。
図５は、本発明に係る画像読取装置の要部構成の第二例を示す説明図である。図例のように、第二例として説明する画像読取装置１０では、キャリッジ１１ｂと同様に主走査方向に延び、かつ、副走査方向（図中の矢印方向）に沿って移動し得る担部１１ｆを、当該キャリッジ１１ｂとは別に有している点で、上述した第一例の場合とは異なる。担部１１ｆの移動は、キャリッジ駆動モータ１１ｄとは別の駆動モータが、当該キャリッジ駆動モータ１１ｄと同期しつつ行うものとする。
そして、アンテナアレイ１５を構成する複数個のアンテナ１５ａ，１５ｂ，１５ｃ…が、キャリッジ１１ｂ上ではなく、担部１１ｆ上に、主走査方向に沿って並べて配されている。したがって、各アンテナ１５ａ，１５ｂ，１５ｃ…は、担部１１ｆが副走査方向に沿って移動すると、これにより原稿との相対位置を移動することになる。なお、アンテナ１５ａ，１５ｂ，１５ｃ…の数およびそれぞれの感度領域については、第一例の場合と同様である。
担部１１ｆの移動速度は、キャリッジ１１ｂの移動速度と同等か、またはキャリッジ１１ｂの移動速度よりも大きく設定されているものとする。担部１１ｆがキャリッジ１１ｂの移動を阻害しないようにするためである。具体的には、後述するように、キャリッジ１１ｂの移動領域を比較考量しつつ、キャリッジ１１ｂと同等の所要時間で移動が完了する速度とすることが考えられる。
【００２６】
以上のような構成の画像読取装置１０では、第一例および第二例のいずれの場合においても、アンテナアレイ１５を構成するアンテナ１５ａ，１５ｂ，１５ｃ…が主走査方向に複数個並べられているとともに、各アンテナ１５ａ，１５ｂ，１５ｃ…の感度領域が主走査方向の読み取り領域の全域をカバーするように設定されており、しかもキャリッジ１１ｂまたは担部１１ｆの移動により各アンテナ１５ａ，１５ｂ，１５ｃ…と原稿との相対位置を副走査方向に沿って移動させ得るので、スキャナ部１１における走査領域の全領域について、無線タグ２１の位置を特に限定されることなく、その無線タグ２１との通信を行い得るようになる。すなわち、原稿２０の不特定位置に無線タグ２１が埋め込まれている場合であっても、アンテナアレイ１５が走査領域の全領域をカバーするので、その無線タグ２１と確実に通信することができる。したがって、原稿２０の自由な位置に無線タグ２１を埋め込むことができるようになり、さらには原稿２０のセット姿勢等によって無線タグ２１が検出されたり、あるいはされなかったりといった不便も解消し得るようになり、無線タグ２１からの情報読み取りの的確化を通じて、その無線タグ２１における記録情報の有効活用を確実なものにすることができる。
【００２７】
ところで、画像読取装置１０では、原稿搬送部１２を有していることから、スキャナ部１１のプラテンガラス１１ａ上に載置された原稿から画像読み取りを行う、いわゆるプラテンスキャンの他に、原稿搬送部１２を利用してスキャナ部１１が搬送中の原稿から画像の流し読みを行う、いわゆるＣＶＴ（Constant Velocity Transfer）スキャンにも対応することが可能である。
【００２８】
ＣＶＴスキャンを行う場合には、アンテナ１５ａ，１５ｂ，１５ｃ…を搭載したキャリッジ１１ｂまたはキャリッジ１１ｂと担部１１ｆとの両方を、副走査方向に沿って移動させるのではなく、所定位置（例えば、ＣＶＴ時の画像読み取り位置）に停止させた状態で、無線タグ２１との通信を行えばよい。このとき、アンテナ１５ａ，１５ｂ，１５ｃ…が担部１１ｆに搭載されている構成では、キャリッジ１１ｂの直下に担部１１ｆを移動させて、各アンテナ１５ａ，１５ｂ，１５ｃ…の感度領域をＣＶＴ時の画像読み取り位置に対応させて十分な感度を得るようにすることも考えられる。このようなＣＶＴスキャンを行う場合であっても、アンテナアレイ１５を構成するアンテナ１５ａ，１５ｂ，１５ｃ…が主走査方向に複数個並べられているとともに、各アンテナ１５ａ，１５ｂ，１５ｃ…の感度領域が主走査方向の読み取り領域の全域をカバーするように設定されており、しかも原稿搬送部１２が行う原稿搬送により各アンテナ１５ａ，１５ｂ，１５ｃ…と原稿２０との相対位置を副走査方向に沿って移動させ得るので、スキャナ部１１における走査領域の全領域について、無線タグ２１の位置を特に限定されることなく、その無線タグ２１との通信を行い得るようになる。
【００２９】
つまり、本実施形態における画像読取装置１０では、原稿２０の主走査方向については、複数個並べられた各アンテナ１５ａ，１５ｂ，１５ｃ…がその主走査方向の全領域をカバーする一方で、原稿２０の副走査方向については、キャリッジ１１ｂの移動若しくは担部１１ｆの移動または原稿搬送部１２が行う原稿搬送のいずれかによって、各アンテナ１５ａ，１５ｂ，１５ｃ…と原稿２０との相対位置を移動させ、これによりその副走査方向の全領域をカバーするのである。
【００３０】
〔画像読取装置における処理動作例〕
次に、以上のように構成された画像読取装置１０における処理動作例について説明する。
【００３１】
画像読取装置１０を用いて原稿２０からの画像読み取りを行う場合には、先ず、ユーザがＵＩ部１３にて「ＲＦＩＤ原稿モード」、「ＲＦＩＤ原稿自動検知モード」または「非ＲＦＩＤ原稿モード」のいずれかを選択するモード設定を行う。「ＲＦＩＤ原稿モード」は、無線タグ２１が埋め込まれた原稿２０に対する画像読み取りを行うモードである。「ＲＦＩＤ原稿自動検知モード」は、無線タグ２１の埋め込み有無を自動的に判定して画像読み取りを行うモードである。「非ＲＦＩＤ原稿モード」は、無線タグ２１が埋め込まれていない原稿に対する画像読み取り、すなわち一般的な画像読み取りを行うモードである。なお、ユーザによるモード選択がない場合のために、いずれかのモードをデフォルトとして予め設定しておいてもよい。
【００３２】
また、ＵＩ部１３では、上述したモード設定の他に、ユーザが所望する「原稿読み取りサイズ」の設定を行う。「原稿読み取りサイズ」は、スキャナ部１１での画像読み取り範囲を特定するためのもので、必ずしも「原稿のサイズ」と一致していなくともよい。例えば、Ａ３サイズの原稿についてＡ４サイズの領域部分のみ画像読み取り範囲とするといった設定も可能である。なお、ユーザ設定がない場合には、後述する「原稿のサイズ」の認識結果を「原稿読み取りサイズ」とすればよい。
【００３３】
そして、読み取り対象となる原稿２０がユーザによりスキャナ部１１のプラテンガラス上または原稿搬送部１２の給紙トレイ１２ａにセットされると、制御部１４のＣＰＵ１４ａは、そのセットされた原稿２０のサイズについての認識を行う。「原稿のサイズ」の認識は、公知の原稿サイズ自動検出技術を用いて行うことが考えられる。あるいは、ＵＩ部１３でのユーザ入力に基づいて認識してもよい。
【００３４】
その後、ＵＩ部１３から画像読み取りの開始指示があると、ＣＰＵ１４ａは、ＡＳＩＣ１４ｈおよび変調／復調器１４ｉに動作指示を与え、上述したようにアンテナアレイ１５を構成する各アンテナ１５ａ，１５ｂ，１５ｃ…と原稿２０との相対位置を移動させつつ、各アンテナ１５ａ，１５ｂ，１５ｃ…に当該原稿に埋め込まれた無線タグ２１との通信を行わせる。
【００３５】
このとき、各アンテナ１５ａ，１５ｂ，１５ｃ…は、主走査方向に並べられた複数個のそれぞれが時分割動作することが望ましい。つまり、ＣＰＵ１４ａは、二つ以上のアンテナ１５ａ，１５ｂ，１５ｃ…が同時に通信を行わないように、各アンテナ１５ａ，１５ｂ，１５ｃ…における通信動作を制御する。このような時分割動作を行えば、無線タグ２１との間で非接触による無線通信を行うアンテナ１５ａ，１５ｂ，１５ｃ…を複数個並設した場合であっても、各アンテナ１５ａ，１５ｂ，１５ｃ…の無線通信時における混信を抑制し得るからである。なお、時分割動作の具体的な態様については、例えば各アンテナ１５ａ，１５ｂ，１５ｃ…がその並び順に所定時間ずつ動作するといったものが考えられるが、混信を抑制し得る態様であれば特に限定されるものではない。
【００３６】
また、各アンテナ１５ａ，１５ｂ，１５ｃ…による無線タグ２１との間の通信は、例えばスキャナ部１１がプリスキャンを行う場合であれば、そのプリスキャン時に行うことも考えられる。プリスキャンについては、公知技術を用いて実現されるものであるため、ここではその説明を省略する。
【００３７】
ところで、画像読取装置１０を用いて原稿２０からの画像読み取りを行う際には、上述したように、「原稿読み取りサイズ」について「原稿のサイズ」と異なる設定がされる場合がある。このような設定がされると、「原稿読み取りサイズ」の領域外に無線タグ２１が位置することも起こり得るが、その場合であっても、各アンテナ１５ａ，１５ｂ，１５ｃ…は、無線タグ２１との通信を的確に行って、その無線タグ２１からの情報読み取りを正しく行う必要がある。
その一方で、余分な領域について、各アンテナ１５ａ，１５ｂ，１５ｃ…が無線タグ２１との通信を行い得るようにすることは、画像読み取りの生産性向上や消費電力削減等の観点からは好ましくない。
【００３８】
このことから、ＣＰＵ１４ａでは、各アンテナ１５ａ，１５ｂ，１５ｃ…が無線タグ２１との通信を行うのに際し、「原稿読み取りサイズ」の設定結果と「原稿のサイズ」の認識結果とが一致すれば、その「原稿読み取りサイズ」＝「原稿のサイズ」を各アンテナ１５ａ，１５ｂ，１５ｃ…と原稿２０との間の相対移動領域とするが、「原稿読み取りサイズ」の設定結果と「原稿のサイズ」の認識結果とが一致しない場合には、その「原稿のサイズ」の認識結果を基にして、各アンテナ１５ａ，１５ｂ，１５ｃ…と原稿２０との相対移動領域を以下に述べるように決定する。
【００３９】
ここで、相対移動領域の具体例について、上述した要部構成の第一例および第二例のそれぞれを例に挙げて説明する。
【００４０】
図６は、本発明に係る画像読取装置の要部構成の第一例における相対移動領域を示す説明図である。図例は、上述した要部構成の第一例に対応するもので、各アンテナ１５ａ，１５ｂ，１５ｃ…がキャリッジ１１ｂに搭載されている場合を示している。この第一例において、「原稿読み取りサイズ」の設定結果と「原稿のサイズ」の認識結果とが一致せず、「原稿読み取りサイズ」が「原稿のサイズ」よりも小さい場合には、ＣＰＵ１４ａは、「原稿のサイズ」の全領域を各アンテナ１５ａ，１５ｂ，１５ｃ…と原稿２０との相対移動領域をするように決定し、「原稿読み取りサイズ」のみならず「原稿のサイズ」の全領域についてキャリッジ１１ｂを移動させるように、ＡＳＩＣ１４ｈに動作指示を与える。
これにより、キャリッジ１１ｂに各アンテナ１５ａ，１５ｂ，１５ｃ…を搭載した場合であっても、「原稿読み取りサイズ」の領域分だけしかキャリッジ１１ｂが動作しないことによる無線タグ２１からの情報読み取り洩れが生じてしまうのを未然に回避することができ、その無線タグ２１からの情報読み取りを正しく行い得るようになる。しかも、キャリッジ１１ｂの移動可能領域（プラテンガラス１１ａに対応した領域）の全てについて移動させる場合に比べると、画像読み取りの生産性も向上する。
「原稿読み取りサイズ」が「原稿のサイズ」よりも大きい場合には、ＣＰＵ１４ａは、ＵＩ部１３での設定に従い、その「原稿読み取りサイズ」を各アンテナ１５ａ，１５ｂ，１５ｃ…と原稿２０との相対移動領域をすればよい。「原稿読み取りサイズ」が画像読み取り範囲であり、また無線タグ２１からの情報読み取り洩れが生じてしまうことも無いからである。
【００４１】
図７は、本発明に係る画像読取装置の要部構成の第二例における相対移動領域を示す説明図である。図例は、上述した要部構成の第二例に対応するもので、各アンテナ１５ａ，１５ｂ，１５ｃ…がキャリッジ１１ｂとは別体の担部１１ｆに搭載されている場合を示している。
この第二例において、「原稿読み取りサイズ」の設定結果と「原稿のサイズ」の認識結果とが一致せず、「原稿読み取りサイズ」が「原稿のサイズ」よりも小さい場合には、制御部１４は、「原稿のサイズ」の全領域を各アンテナ１５ａ，１５ｂ，１５ｃ…と原稿２０との相対移動領域をするように決定する。そして、キャリッジ１１ｂについては「原稿読み取りサイズ」のみを移動させるが、担部１１ｆについては「原稿読み取りサイズ」のみならず「原稿のサイズ」の全領域を移動させるように、ＡＳＩＣ１４ｈに動作指示を与える。
このとき、ＣＰＵ１４ａは、キャリッジ１１ｂの移動領域を比較考量しつつ、担部１１ｆがキャリッジ１１ｂよりも高速に移動するように、その担部１１ｆの移動を制御する。例えば、「原稿のサイズ」がＡ３横サイズであるのに対し、「原稿読み取りサイズ」としてＡ４縦サイズ（Ａ３横サイズの半分の大きさ）が設定された場合であれば、担部１１ｆをキャリッジ１１ｂの２倍の速度で移動させる。
このように担部１１ｆを動作させれば、「原稿読み取りサイズ」の領域分だけしかキャリッジ１１ｂが動作しないことによる無線タグ２１からの情報読み取り洩れが生じてしまうのを未然に回避することができ、その無線タグ２１からの情報読み取りを正しく行い得るようになる。しかも、キャリッジ１１ｂが「原稿読み取りサイズ」の領域分の移動に要する時間で、担部１１ｆが「原稿のサイズ」の領域分の移動を完了することになるので、画像読み取りの生産性低下を招くことなく、無線タグ２１からの情報読み取りを正しく行い得るようになる。したがって、担部１１ｆをキャリッジ１１ｂと別に動作させることで、上述した第一例の場合に比べて構成および動作制御の複雑さは増すが、画像読み取りの生産性（特に、ある原稿の画像読み取り終了後から次の原稿の画像読み取り開始までの所要時間）を重視する画像読取装置に用いて非常に好適である。
「原稿読み取りサイズ」が「原稿のサイズ」と一致する場合および「原稿読み取りサイズ」が「原稿のサイズ」よりも大きい場合には、ＣＰＵ１４ａは、ＵＩ部１３での設定に従い、その「原稿読み取りサイズ」を各アンテナ１５ａ，１５ｂ，１５ｃ…と原稿２０との相対移動領域をし、キャリッジ１１ｂと担部１１ｆとに同一領域範囲を移動させればよい。「原稿読み取りサイズ」が画像読み取り範囲であり、また無線タグ２１からの情報読み取り洩れが生じてしまうことも無いからである。
【００４２】
なお、ここでは、制御部が各アンテナ１５ａ，１５ｂ，１５ｃ…と原稿２０との相対移動領域を決定する具体例として、各アンテナ１５ａ，１５ｂ，１５ｃ…がキャリッジ１１ｂに搭載されている第一例の場合と、各アンテナ１５ａ，１５ｂ，１５ｃ…が担部１１ｆに搭載されている第二例の場合とを説明したが、ＣＶＴスキャンを行う場合についても、上述した第一例の場合と同様にして相対移動領域を決定すればよい。ただし、ＣＶＴスキャンの場合には、原稿搬送部１２での原稿搬送によって各アンテナ１５ａ，１５ｂ，１５ｃ…と原稿２０との間の相対位置が移動することになるので、ここでいう「相対移動領域」は、原稿搬送部１２に搬送される原稿に対し、各アンテナ１５ａ，１５ｂ，１５ｃ…が無線タグ２１とのを行う領域範囲を意味することになる。
【００４３】
以上のような無線タグ２１との通信のための一連の処理動作については、ＵＩ部１３でのモード設定に応じて、例えば以下に述べるように相違させることも考えられる。
【００４４】
「ＲＦＩＤ原稿モード」が選択されている場合であれば、無線タグ２１からの情報読み取りを前提としたモードであることから、ＣＰＵ１４ａは、上述のように決定した相対移動領域について無線タグ２１の走査を行う。そして、その走査を通じて無線タグ２１からの情報読み取りを行うと、その無線タグ２１から得た情報の有効活用を図る。ただし、相対移動領域を走査したにも拘わらず、無線タグ２１からの情報読み取りができなければ、原稿からの画像読み取りを中断するとともに、その旨のアラーム出力をＵＩ部１３に行わせ、その後に行うべき処理（画像読み取りを再開するか否か等）についての指示や選択等をユーザに行わせる。
【００４５】
「非ＲＦＩＤ原稿モード」が選択されている場合であれば、ＣＰＵ１４ａは、上述した相対移動領域の決定やその決定結果に基づく無線タグ２１との通信等を行うことなく、一般的な画像読み取り処理をスキャナ部１１に行わせる。
【００４６】
「ＲＦＩＤ原稿自動検知モード」が選択されている場合であれば、ＣＰＵ１４ａは、上述のように決定した相対移動領域について無線タグ２１の走査を行う。そして、その走査を通じて相対移動領域内から一つ以上の無線タグ２１を検出すると、無線タグ２１が埋め込まれている原稿２０であると判断し、その判断結果についての情報出力をＵＩ部１３に行わせるとともに、その相対移動領域内の一つまたは複数の無線タグ２１からの情報読み取りを逐次行って、読み取った情報の有効活用を図る。ただし、相対移動領域を走査したにも拘わらず、無線タグ２１からの情報読み取りができなければ、原稿２０に無線タグ２１が埋め込まれていないと判断し、その判断結果についての情報出力をＵＩ部１３に行わせるとともに、「非ＲＦＩＤ原稿モード」と同様に一般的な画像読み取り処理をスキャナ部１１に行わせる。
【００４７】
また、「ＲＦＩＤ原稿モード」あるいは「ＲＦＩＤ原稿自動検知モード」が選択されているときに、一度のスキャンで複数の無線タグ２１について情報読み取りを行う場合であれば、ＣＰＵ１４ａ、各無線タグ２１からの読み取り情報の累積結果が期待する情報の全てであるか否かを、所定データ（例えば、エンド・オブ・データのフラグ）を基にして判定し、期待する情報の全てについて読み取りが完了したら、相対移動領域内の全てについての走査完了を待たずにその走査を終了させ、これにより無線タグ２１からの情報読み取り処理の迅速化を図るものであってもよい。この場合に、相対移動領域の全てについて走査したにも拘わらず、期待する情報の全てについて読み取りが完了しない場合には、原稿からの画像読み取りを中断するとともに、その旨のアラーム出力をＵＩ部１３に行わせ、その後に行うべき処理（画像読み取りを再開するか否か等）についての指示や選択等をユーザに行わせる。
【００４８】
このように、例えば一枚の原稿２０に複数の無線タグ２１が埋め込まれている等、一度のスキャンで各無線タグ２１からの情報読み取りを行う場合に、各無線タグ２１からの読み取り情報が期待する情報の全てであるか否かをＣＰＵ１４ａが判定すれば、例えば一部の無線タグ２１が欠損した原稿２０については不正であると判断したり、あるいは一部の無線タグ２１または記録情報が破損していても冗長構成によりこれを補償する、といったことが実現可能となる。
【００４９】
さらに、各無線タグ２１からの情報読み取りを行う場合には、原稿２０の主走査方向に複数個のアンテナ１５ａ，１５ｂ，１５ｃ…が並べられ、各アンテナ１５ａ，１５ｂ，１５ｃ…と原稿２０との相対位置を副走査方向に沿って移動させ得るようになっているので、ＣＰＵ１４ａは、各アンテナ１５ａ，１５ｂ，１５ｃ…のそれぞれの配置位置と、各アンテナ１５ａ，１５ｂ，１５ｃ…と原稿２０との間の相対位置移動量とに基づいて、各無線タグ２１の原稿２０上での埋め込み位置を認識することも考えられる。すなわち、ＣＰＵ１４ａは、複数のアンテナ１５ａ，１５ｂ，１５ｃ…のうち、どのアンテナ１５ａ，１５ｂ，１５ｃ…が無線タグ２１からの情報読み取りを行ったかについての情報と、そのアンテナ１５ａ，１５ｂ，１５ｃ…が情報読み取りを行った際の副走査方向における位置情報とから、当該無線タグ２１の埋め込み位置についての情報を得ることも考えられる。このようにすれば、原稿２０上に描かれている画像の内容と無線タグ２１の埋め込み位置とを関連付けて処理することが可能になるからである。具体的には、例えば複数枚の原稿画像を一枚分に縮小合成して並べる、いわゆるＮ−ｕｐ処理を行う場合には、複数枚の原稿画像が一度のスキャンで読み取られることになるが、その場合であっても、各原稿に埋め込まれた無線タグの記録情報に応じて、各原稿画像別に異なる処理を行うことが可能となる。
【００５０】
また、ＣＰＵ１４ａまたは変調／復調器１４ｉの少なくとも一方は、各アンテナ１５ａ，１５ｂ，１５ｃ…が無線タグ２１との通信を行う際の当該アンテナ１５ａ，１５ｂ，１５ｃ…における感度領域の大きさを、その無線タグ２１が埋め込まれた原稿２０のセット位置に応じて可変する機能を有したものであってもよい。具体的には、原稿２０がスキャナ部１１のプラテンガラス上にセットされたか、あるいは原稿搬送部１２の給紙トレイ１２ａ上にセットされたかに応じて、各アンテナ１５ａ，１５ｂ，１５ｃ…における感度領域の大きさを相違させる。このようにすれば、例えば、プラテンガラス上の原稿２０については、各アンテナ１５ａ，１５ｂ，１５ｃ…との距離が近いため、各アンテナ１５ａ，１５ｂ，１５ｃ…における感度領域を小さくして消費電力の削減を図る一方、原稿搬送部１２が搬送する原稿２０については、各アンテナ１５ａ，１５ｂ，１５ｃ…における感度領域の大きくして情報読み取りの確実性を確保する、といったことが実現可能となる。なお、感度領域可変の具体的な手法については、例えば印加電力の増減を通じて行う等、公知技術を利用すればよいため、ここではその説明を省略する。
【００５１】
〔画像読取装置の他の構成例〕
なお、本実施形態では、本発明の好適な実施具体例を説明したが、本発明はその内容に限定されるものではない。
例えば、本実施形態では、アンテナが主走査方向に複数個並べられた場合を例に挙げて説明したが、これら複数個のアンテナを設ける代わりに一つのアンテナを設け、その一つのアンテナを主走査方向に移動させるように構成しても、本実施形態で説明した構成と同様の作用効果を得ることができる。なお、アンテナを主走査方向に移動させるための機構については、モータ等の駆動源を利用する等、公知技術を利用して実現すればよい。
つまり、本発明は、その要旨を逸脱しない範囲で適宜変更することが可能である。
【図面の簡単な説明】
【００５２】
【図１】本発明に係る画像読取装置の概略構成の一例を示す説明図であり、（ａ）はその平面模式図、（ｂ）はその正面模式図である。
【図２】本発明に係る画像読取装置の制御部における機能構成の一例を示すブロック図である。
【図３】本発明に係る画像読取装置の要部構成の第一例を示す説明図であり、（ａ）はその正面模式図、（ｂ）はその平面模式図である。
【図４】図３に示した画像読取装置における各アンテナの感度領域の具体例を示す説明図である。
【図５】本発明に係る画像読取装置の要部構成の第二例を示す説明図であり、（ａ）はその正面模式図、（ｂ）はその平面模式図である。
【図６】本発明に係る画像読取装置の要部構成の第一例における相対移動領域を示す説明図である。
【図７】本発明に係る画像読取装置の要部構成の第二例における相対移動領域を示す説明図である。
【符号の説明】
【００５３】
１０…画像読取装置、１１…スキャナ部、１１ａ…プラテンガラス、１１ｂ…キャリッジ、１１ｄ…キャリッジ駆動モータ、１２…原稿搬送部、１２ａ…給紙トレイ、１２ｂ…排紙トレイ、１３…ＵＩ部、１４…制御部、１４ａ…ＣＰＵ、１４ｂ…ＲＯＭ、１４ｃ…ＲＡＭ、１４ｄ…コンバータ、１４ｅ…ＡＳＩＣ、１４ｆ…モータ駆動回路、１４ｇ…ランプ駆動回路、１４ｈ…ＡＳＩＣ、１４ｉ…変調／復調器、１５…アンテナアレイ、１５ａ，１５ｂ，１５ｃ…アンテナ、２０…原稿、２１…無線タグ
【図１】
2007124076.tif 000003
【図２】
2007124076.tif 000004
【図３】
2007124076.tif 000005
【図４】
2007124076.tif 000006
【図５】
2007124076.tif 000007
【図６】
2007124076.tif 000008
【図７】
2007124076.tif 000009